(57)【要約】【課題】  別途の特別な部材を必要とすることなく、ベース板に機能パネルを取り付けることができ、コスト安価に機能パネルの取り付けを行なうことができる機能パネルの取付構造を提供する。【解決手段】  ベース板１の軒側端縁の上面側に、棟方向へ突出する第一突出片２と、軒方向へ突出する第二突出片３を一体に設ける。機能パネル４の軒側端部と棟側端部に前枠５と後枠６を設けると共に、前枠５に軒側に開口する前係止凹所７を、後枠６に棟側に開口する後係止凹所８を凹設する。ベース板１を屋根面に固定すると共に機能パネル４の前枠５の前係止凹所７をこのベース板１の第一突出片２に被挿係止して機能パネル４をこのベース板１の上に配置する。このベース板１の棟側端部の上に他のベース板１の軒側端部を重ねて他のベース板１を屋根面に固定すると共にこの他のベース板１の第二突出片３を上記機能パネル４の後枠６の後係止凹所８に差し込み係止する。【選択図】  図１
2006193975.tif 000002
【特許請求の範囲】
【請求項１】
ベース板の軒側端縁の上面側に、棟方向へ突出する第一突出片と、軒方向へ突出する第二突出片をそれぞれ一体に設け、機能パネルの軒側端部と棟側端部にそれぞれ前枠と後枠を設けると共に、前枠に軒側に開口する前係止凹所を、後枠に棟側に開口する後係止凹所をそれぞれ凹設し、ベース板を屋根面に固定すると共に機能パネルの前枠の前係止凹所をこのベース板の第一突出片に被挿係止して機能パネルをこのベース板の上に配置し、このベース板の棟側端部の上に他のベース板の軒側端部を重ねて他のベース板を屋根面に固定すると共にこの他のベース板の第二突出片を上記機能パネルの後枠の後係止凹所に差し込み係止して成ることを特徴とする機能パネルの取付構造。
【請求項２】
第一突出片の棟方向への突出寸法と、第二突出片の軒方向への突出寸法とを等しく形成して成ることを特徴とする請求項１に記載の機能パネルの取付構造。
【発明の詳細な説明】
【技術分野】
【０００１】
本発明は、太陽電池モジュールや太陽熱温水パネルなど、特定の機能を有する機能パネルの屋根への取付構造に関するものである。
【背景技術】
【０００２】
太陽電池モジュールなどの機能パネル４を屋根の上に取り付ける工法の一つとして、ベース板１を用いて既存の屋根の上に機能パネル４を取り付けるようにした工法がある（例えば、特許文献１等参照）。
【０００３】
図６、図７はその一例を示すものであり、金属板などで形成されるベース板１の軒側端部と棟側端部にはそれぞれ前金具１５と後金具１６が予めビス止め等で固着してあり、まず図６のように瓦２５が葺かれた既存の屋根面に複数枚のベース板１を並べて固定する。この固定は、ベース板１の上面に固定バー１８を置いて固定バー１８からタッピングネジ１９を瓦２５及びその下の野地板２０にねじ込むことによって行なわれる（図７（ａ）参照）。
【０００４】
そして図７（ａ）のように、太陽電池モジュールなどの機能パネル４の外周に設けた枠の軒側の前枠５をベース板１の軒側端部の前金具１５の係合凹所２１に差し込んで係合させると共に、図７（ｂ）のように、機能パネル４の棟側の後枠６をベース板１の棟側端部の後金具１６の凹段部２２に載置することによって、機能パネル４の軒側端部と棟側端部を前金具１５と後金具１６で支持してベース板１の上に機能パネル４を配置するようにしてある。さらに、機能パネル４の軒側端部は係合凹所２１に差込係合されていて前金具１５に固定された状態にあるが、機能パネル４の棟側端部は後金具１６の凹段部２２に載置されているだけであるので、図７（ｃ）のように、軒棟方向で隣合うベース板１の端部間において、軒側のベース板１の後金具１６と棟側のベース板１の前金具１５の上面間に跨ってカバー板２３を配置し、カバー板２３をビス２４で前金具１５及び後金具１６の上に固定することによって、機能パネル４の棟側端部を押えるようにし、機能パネル４の棟側端部を後金具１６に固定する。このようにして、ベース板１の上に機能パネル４を固定し、ベース板１によって機能パネル４を既存の屋根面に取り付けることができるものである。
【特許文献１】特開２００４−２０４５０２号公報
【発明の開示】
【発明が解決しようとする課題】
【０００５】
ベース板１を用いて既存の屋根の上に機能パネル４を取り付けるにあたって、上記のものでは、前金具１５と後金具１６を用いて機能パネル４をベース板１の上に取り付けるようにしており、ベース板１の他に前金具１５や後金具１６という固定用の金具が必要である。この前金具１５や後金具１６はベース板１とは別に製造加工されるので、加工コストが高くなり、特に前金具１５や後金具１６をアルミニウムで製造する場合には材料コストも高くなるという問題を有するものであった。また機能パネル４の棟側端部を固定するためにカバー板２３という部材が必要であり、この点でもコスト高になるという問題を有するものであった。
【０００６】
本発明は上記の点に鑑みてなされたものであり、ベース板に機能パネルを固定するための別途部材を必要とすることなく、ベース板に機能パネルを取り付けることができ、コスト安価に機能パネルの取り付けを行なうことができる機能パネルの取付構造を提供することを目的とするものである。
【課題を解決するための手段】
【０００７】
本発明の請求項１に係る機能パネルの取付構造は、ベース板１の軒側端縁の上面側に、棟方向へ突出する第一突出片２と、軒方向へ突出する第二突出片３をそれぞれ一体に設け、機能パネル４の軒側端部と棟側端部にそれぞれ前枠５と後枠６を設けると共に、前枠５に軒側に開口する前係止凹所７を、後枠６に棟側に開口する後係止凹所８をそれぞれ凹設し、ベース板１を屋根面に固定すると共に機能パネル４の前枠５の前係止凹所７をこのベース板１の第一突出片２に被挿係止して機能パネル４をこのベース板１の上に配置し、このベース板１の棟側端部の上に他のベース板１の軒側端部を重ねて他のベース板１を屋根面に固定すると共にこの他のベース板１の第二突出片３を上記機能パネル４の後枠６の後係止凹所８に差し込み係止して成ることを特徴とするものである。
【０００８】
また請求項２の発明は、請求項１において、第一突出片２の棟方向への突出寸法と、第二突出片３の軒方向への突出寸法とを等しく形成して成ることを特徴とするものである。
【発明の効果】
【０００９】
本発明によれば、ベース板１に一体に設けた第一突出片１と第二突出片２に機能パネル４の前枠５と後枠６を係止することによって、ベース板１に機能パネル４を固定するための別途部材を必要とすることなく、機能パネル４をベース板１の上に取り付けることができるものであり、コスト安価に屋根への機能パネル４の取り付けを行なうことができるものである。
【発明を実施するための最良の形態】
【００１０】
以下、本発明を実施するための最良の形態を説明する。
【００１１】
図４はベース板１の一例を示すものであり、ベース板１は金属板で横長の矩形に形成してある。このベース板１には突屈曲加工することによって上面側に突出する突条２６が所定間隔で複数本平行に設けてある。各突条２６は図４（ａ）のようにベース板１の軒側端縁から棟側端部付近に至るように軒棟方向に形成されるものであり、突条２６の棟側端部に嵌合用凹部２７が凹設してある。そして各突条２６の軒側端縁には、交互に第一突出片２と第二突出片３が一体に延出して設けてある。
【００１２】
第一突出片２は図４（ｃ）のように、突条２６の軒側端縁から上方へ一体に立ち上がる立上り片２９の上端に、ベース板１と平行に棟側へ向けて突出させて形成されるものであり、また第二突出片３は図４（ｂ）のように、突条２６の軒側端縁から上方へ一体に立ち上がる立上り片３０の上端に、ベース板１と平行に軒側へ向けて突出させて形成されるものである。立上り片２９と立ち上がり片３０の高さ寸法は等しく設定してあり、第一突出片２の棟方向への突出寸法と、第二突出片３の軒方向への突出寸法は等しく設定してある。
【００１３】
また、太陽電池モジュールなどで形成される機能パネル４の軒側端縁には前枠５が、機能パネル４の棟側端縁には後枠６がそれぞれ取り付けてある。機能パネル４の外周に矩形状の枠を取り付けて、矩形枠の軒側の部分で前枠５が、矩形枠の棟側の部分で後枠６が形成されるようにしてもよい。前枠５には軒側へ突出する係止部３２が機能パネル４の幅方向の全長に設けてあり、この係止部３２に軒方向へスリット状に開口する前係止凹部７が全長に亘って凹設してある。また後枠６には棟側へ突出する係止部３３が機能パネル４の幅方向の全長に設けてあり、この係止部３３に棟方向へスリット状に開口する後係止凹部８が全長に亘って凹設してある。前枠５や後枠６の下面にはそれぞれ脚部３４が設けてある（前枠５と後枠６の構造については図１参照）。
【００１４】
次に、野地板２０の上に瓦２５を葺いた既存の屋根の上に太陽電池モジュールなどで形成される機能パネル４を取り付ける施工について説明する。まず屋根面にベース板１を取り付ける。ベース板１の固定は、ベース板１の上面において突条２６の上に渡して固定バー１８を置き、固定バー１８からタッピングネジ１９をベース板１の突条２６を通して瓦２５及び野地板２０にねじ込むことによって行なうことができる（既出の図７（ａ）参照）。このとき図５に示すように、ベース板１は軒と平行に一列に並べて取り付けられるものであり、隣合うベース板１は側端部同士を重ねて接続する。次に、一列に取り付けたこのベース板１の棟側端部に軒側端部を重ねた状態で他のベース板１を軒と平行に一列に並べて取り付ける（図５において、軒側の一列のベース板１を「下段のベース板１」、棟側の一列のベース板１を「上段のベース板１」という）。
【００１５】
そして上記のようにベース板１を屋根の上に取り付ける際に、下段のベース板１を屋根の上に固定した後、下段のベース板１の上に機能パネル４を配置して、下段のベース板１の第一突出片２に機能パネル４の前枠５の前係止凹所７を被挿した状態で、上段のベース板１の第二突出片３をこの機能パネル４の後枠６の後係止凹所８に差し込みながら、上段のベース板１の取り付けを行なうものである。このように下段のベース板１の第一突出片２に前枠５を、上段のベース板１の第二突出片３に後枠６を係止して、機能パネル４の軒側端部と棟側端部をそれぞれ固定した状態で、下段のベース板１の上に機能パネル４を取り付けることができるものである。
【００１６】
以下同様にして、軒側から棟側へと三段以上にベース板１を屋根に取り付けながら、各段のベース板１の上に機能パネル４を取り付けることができるものである。そして、中段のベース板１においては、図１に示すように、第一突出片２をそのベース板１の上の機能パネル４の前枠５の前係止凹所７に差し込み係止すると共に、第二突出片３を下段側のベース板１の上の機能パネル４の後枠６の後係止凹所８に差し込み係止するものであり、前枠５と第一突出片２の固定は、前枠５の係止部３２と第一突出片２に通してビス３７をねじ込むことによって行ない、後枠６と第二突出片３の固定は、後枠６の係止部３３と第二突出片３に通してビス３７をねじ込むことによって行なうようにしてある。
【００１７】
また、最上段のベース板１においては、角筒体などで形成される支持体３８を嵌合用凹部２７に嵌め込んだ状態でビス３７で固定しておき、図２及び図３に示すように、機能パネル４の前枠５をこのベース板１の第一突出片２に前係止凹所７を被挿係止すると共に、機能パネル４の後枠６の係止部３３を支持体３８の上に載置して、係止部３３から支持体３８にビス３７をねじ込んで固定することによって、機能パネル４の取り付けを行なうようにしてある。
【００１８】
上記のようにして、ベース板１に機能パネル４を固定するための別途の特別な部材を必要とすることなく、機能パネル４をベース板１の上に取り付けることができるものであり、コスト安価に屋根への機能パネル４の取り付けを行なうことができるものである。また、ベース板１に設けた第一突出片２の棟方向への突出寸法と、第二突出片３の軒方向への突出寸法とが等しくなるように形成してあるので、機能パネル４に設けた前枠５の前係止凹所７の深さ寸法と、後枠６の後係止凹所８の深さ寸法は等しく形成することができ、前枠５と後枠６は同じ部材を共用することが可能になるものであり、部材の種類を少なくしてこの点でもコストダウンすることができるものである。
【図面の簡単な説明】
【００１９】
【図１】本発明の実施の形態の一例を示す一部の断面図である。
【図２】同上の一部の断面図である。
【図３】同上の一部の断面図である。
【図４】同上のベース板を示すものであり、（ａ）は平面図、（ｂ）はＡ−Ａ線断面図、（ｃ）はＢ−Ｂ線断面図である。
【図５】同上のベース板の屋根面での取付配置を示す平面図である。
【図６】従来例のベース板の屋根面での取付配置を示す平面図である。
【図７】従来例を示すものであり、（ａ），（ｂ），（ｃ）はそれぞれ一部の断面図である。
【符号の説明】
【００２０】
１  ベース板
２  第一突出片
３  第二突出片
４  機能パネル
５  前枠
６  後枠
７  前係止凹所
８  後係止凹所
【図１】
2006193975.tif 000003
【図２】
2006193975.tif 000004
【図３】
2006193975.tif 000005
【図４】
2006193975.tif 000006
【図５】
2006193975.tif 000007
【図６】
2006193975.tif 000008
【図７】
2006193975.tif 000009